【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
検査対象物（Ｏ）の事前設定されたボリューム区域の磁気共鳴画像内の位相情報を磁気共鳴設備（５）により補正する方法において、
基本磁場（Ｂ０）が印加されるステップと、
事前設定されたボリューム区域の磁気共鳴データが取得されるステップと、
磁気共鳴データが評価されて、事前設定されたボリューム区域のピクセルごとに位相情報が算出されるステップと、
検査対象物の運動または前記磁気共鳴設備（５）自体によって引き起こされる基本磁場の意図しない変化を検出するナビゲータ信号が取得されるステップと、
このナビゲータ信号を考慮して位相情報が補正されるステップと、
を含んでいる磁気共鳴画像内の位相情報の補正方法。
【請求項２】
磁気共鳴データの取得はエコープラナー法により実行され、
エコープラナー法では個々の選択された高周波励起に基づいて１つまたは複数のエコー信号が読み取られることを特徴とする請求項１に記載の方法。
【請求項３】
事前設定されたボリューム区域に対応するＫ空間がセグメントごとに走査され、
基本磁場の検出された変化は各セグメントのＭＲデータの検出時に別個に考慮され、それにより各セグメントの磁気共鳴データを補正し、
次いで、位相情報を再構成するために組み合わされたセグメントのＭＲデータの評価が実行されることを特徴とする請求項２に記載の方法。
【請求項４】
ナビゲータ信号は呼吸ベルトまたは心臓モニタによって検出されることを特徴とする請求項１から３のいずれか１項に記載の方法。
【請求項５】
位相エンコーディングされていないナビゲータ信号により自由誘導減衰に基づいて高周波励起後の第１の時間インターバル（Ｔ1）で基準測定（４２）時に横方向磁化が検出されることによって第１の基準位相値（ΦR,1）が決定され、
前記ナビゲータ信号から生じるエコー信号の横方向磁化が高周波励起後の第２の時間インターバル（Ｔ2）でＫ空間の中心において基準測定（４２）時に検出されることによって第２の基準位相値（ΦR,2）が決定され、
位相エンコーディングされていない測定信号により自由誘導減衰に基づいて高周波励起後の第１の時間インターバル（Ｔ1）で測定（４１）時に横方向磁化が検出されることによって第１の位相値（Φn,1）が決定され、
前記測定信号から生じるエコー信号の横方向磁化が高周波励起後の第２の時間インターバル（Ｔ2）でＫ空間の中心において測定（４１）時に検出されることによって第２の位相値（Φn,2）が決定され、
第１の基準位相値（ΦR,1）と、第２の基準位相値（ΦR,2）と、第１の位相値（Φn,1
）と、第２の位相値（Φn,2）とに依存してＭＲデータがＫ空間の走査時に補正されることを特徴とする請求項１から４のいずれか１項に記載の方法。
【請求項６】
磁気共鳴データが時間ｔに関係する係数Ｆを乗算されることによって、ＭＲデータが補正され、
係数Ｆは次式
【数１】
2012205897.tif 000001
に基づいて決定され、
ΔΦおよびΔωは次式
【数２】
2012205897.tif 000002
2012205897.tif 000003
に基づいて決定される
（ここでΦR,1は第１の基準位相値、ΦR,2は第２の基準位相値、Φn,1は第１の位相値、
Φn,2は第２の位相値、Ｔ1は第１の時間インターバル、Ｔ2は第２の時間インターバルである）ことを特徴とする請求項５に記載の方法。
【請求項７】
生じたエコー信号の横方向磁化が高周波励起後の時間インターバル（Ｔ2）でＫ空間の中心において基準測定時に検出されることによって基準位相値（ΦR,2）が決定され、
生じたエコー信号の横方向磁化が高周波励起後の第２の時間インターバルの後でＫ空間の中心において測定時に検出されることによって位相値（Φn,2）が決定され、
基準位相値（ΦR,2）と位相値（Φn,2）に依存して磁気共鳴データがＫ空間の走査時に補正されることを特徴とする請求項１から６のいずれか１項に記載の方法。
【請求項８】
磁気共鳴データが時間に関係する係数Ｆを乗算されることによって、磁気共鳴データが補正され、
係数Ｆは次式
【数３】
2012205897.tif 000004
に基づいて決定され、
Δωは次式
【数４】
2012205897.tif 000005
に基づいて算出される
（ここでΦRは基準位相値、Φnは位相値、Ｔは時間インターバルである）ことを特徴とする請求項７に記載の方法。
【請求項９】
磁気共鳴データは事前設定されたボリューム区域のピクセルごとに振幅情報が算出されるように評価され、
基本磁場の検出された変化はＫ空間内での磁気共鳴データの検出時および／または磁気共鳴データの評価時に考慮され、それにより振幅情報も補正することを特徴とする請求項１から８のいずれか１項に記載の方法。
【請求項１０】
前記方法は機能的磁気共鳴イメージングのため、機能的結合の磁気共鳴イメージングのため、拡散強調磁気共鳴画像の生成のため、または灌流強調磁気共鳴画像の生成のために適用されることを特徴とする請求項１から９のいずれか１項に記載の方法。
【請求項１１】
Ｋ空間は１回目およびこれに続く２回目にそのつどエコープラナー法により走査され、
第２の走査時にエコープラナー法の位相エンコーディング勾配磁場は第１の走査に比較して小さな追加のグラジエントモーメントを有しており、それによってＫ空間内で位相エンコーディング勾配磁場に相当する方向に沿って第１の走査の結果と第２の走査の結果との間で一定のシフトが行われ、
第１の走査の結果と第２の走査の結果とに基づくピクセルごとの位相差により、基本磁場の変化を考慮するために事前設定されたボリューム区域のピクセルについて算出された位相値がどれだけ補正されるべきであるかを前記事前設定されたボリューム区域のピクセルごとに表す歪みマップが作成されることを特徴とする請求項１から１０のいずれか１項に記載の方法。
【請求項１２】
磁気共鳴データが第１のエコー時間の後と第２のエコー時間の後とに検出されることによってＫ空間が二重に走査され、
第１のエコー時間で検出されたＭＲデータから第１の位相マップが作成され、第２のエコー時間で検出されたＭＲデータから第２の位相マップが作成され、位相マップは位相値をピクセルごとに表しており、
第１の位相マップと第２の位相マップとの差から、基本磁場の強さをピクセルごとに決定可能である磁場マップが作成されることを特徴とする請求項１から１１のいずれか１項に記載の方法。
【請求項１３】
検査対象物（Ｏ）の事前設定されたボリューム区域の磁気共鳴画像内の位相情報を補正するための磁気共鳴設備において、
磁気共鳴設備（５）は基本磁場磁石（１）と、勾配磁場システム（３）と、少なくとも１つの高周波アンテナ（４）と、勾配磁場システム（３）および少なくとも１つの高周波アンテナ（４）を制御し、少なくとも１つの高周波アンテナ（４）から取得された測定信号を受信し、当該測定信号を評価するための制御装置（１０）とを含み、
磁気共鳴設備（５）は、磁気共鳴設備（５）が基本磁場を印加するように構成され、
磁気共鳴設備（５）は事前設定されたボリューム区域の磁気共鳴データを取得し、磁気共鳴設備（５）は当該磁気共鳴データを評価して、事前設定されたボリューム区域のピクセルごとに位相情報が算出し、磁気共鳴設備（５）は、検査対象物（Ｏ）の運動または磁気共鳴設備（５）自体によって引き起こされる基本磁場の意図しない変化を検出するナビゲータ信号を取得し、前記磁気共鳴設備（５）は当該ナビゲータ信号を考慮して位相情報を補正する磁気共鳴設備。
【請求項１４】
磁気共鳴設備（５）は、前記磁気共鳴設備（５）が請求項１から１２のいずれか１項に記載の方法を実施するように構成されていることを特徴とする請求項１３に記載の磁気共鳴設備。
【請求項１５】
磁気共鳴設備（５）のプログラミング可能な制御装置（１０）のメモリ内に直接ロード可能であるコンピュータプログラムにおいて、プログラムが磁気共鳴設備（５）の制御装置（１０）内で実行されるときに、請求項１から１２のいずれか１項に記載の方法のすべてのステップを実行するためのプログラム手段を有しているコンピュータプログラム。
【請求項１６】
電子式に読取り可能な制御情報が記憶されている電子式に読取り可能なデータ担体であって、磁気共鳴設備（５）の制御装置（１０）内でデータ担体（２１）が使用されるときに請求項１から１２のいずれか１項に記載の方法を実行するように構成されている電子式に読取り可能なデータ担体。